(57)【要約】      （修正有）【課題】隣接する基地局の表示に関する技術を提供する。【解決手段】基地局は複数の隣接する基地局を示すメッセージを生成して無線により送信することができる。メッセージは、１以上のワイルドカード値を有するインジケータを含みうる。ワイルドカード値の利用によりインジケータは複数の隣接する基地局に対応する情報を提供することができる。インジケータは複数の基地局識別子（ＢＳＩＤ）を示しうる。インジケータは複数のプリアンブルインデックスを示すこともできる。インジケータは複数のキャリア周波数を示すこともできる。この技術を利用することで、移動管理を曖昧にすることなくオーバヘッドを節約することができるようになる。【選択図】図１
2011155635.tif 000002
【特許請求の範囲】
【請求項１】
無線通信ネットワークにおける方法であって、
複数の隣接する基地局を示すメッセージであり、１以上のワイルドカード値を有して前記複数の隣接する基地局の各々に対応する情報を示すインジケータを含むメッセージを生成する段階と、
前記メッセージを無線により送信する段階と
を備える方法。
【請求項２】
前記インジケータは複数の基地局識別子（ＢＳＩＤ）を示す請求項１に記載の方法。
【請求項３】
前記インジケータは複数のプリアンブルインデックスを示す請求項１に記載の方法。
【請求項４】
前記インジケータは複数のキャリア周波数を示す請求項１に記載の方法。
【請求項５】
前記メッセージは隣接する基地局のリストのブロードキャストメッセージである請求項１に記載の方法。
【請求項６】
前記メッセージは移動局に対するスキャンコマンドである請求項１に記載の方法。
【請求項７】
前記移動局からスキャンレポートメッセージを受信する段階をさらに備え、
前記スキャンレポートメッセージは、前記複数の隣接する基地局の各々に対する計測レポートを含み、各計測レポートは単一の対応する隣接する基地局を特定するインジケータを含む請求項１に記載の方法。
【請求項８】
前記計測レポートの各々が含む前記インジケータは、基地局識別子（ＢＳＩＤ）である請求項７に記載の方法。
【請求項９】
前記ネットワークはＩＥＥＥ８０２．１６ネットワークである請求項１に記載の方法。
【請求項１０】
複数の隣接する基地局を示すメッセージであり、１以上のワイルドカード値を有して前記複数の隣接する基地局の各々に対応する情報を示すインジケータを含むメッセージを生成するメッセージ生成モジュールと、
前記メッセージを無線により送信するトランシーバと
を備える装置。
【請求項１１】
前記インジケータは複数の基地局識別子（ＢＳＩＤ）を示す請求項１０に記載の装置。
【請求項１２】
前記インジケータは複数のプリアンブルインデックスを示す請求項１０に記載の装置。
【請求項１３】
前記インジケータは複数のキャリア周波数を示す請求項１０に記載の装置。
【請求項１４】
複数の隣接する基地局の各々に対応する情報を示すインジケータを含む無線メッセージを受信するトランシーバと、
前記複数の隣接する基地局をスキャンするスキャンモジュールとを備え、前記インジケータは１以上のワイルド値を有する装置。
【請求項１５】
前記インジケータは複数の基地局識別子（ＢＳＩＤ）を示す請求項１４に記載の装置。
【請求項１６】
前記インジケータは複数のプリアンブルインデックスを示す請求項１４に記載の装置。
【請求項１７】
スキャンレポートメッセージを生成するレポート生成モジュールをさらに備え、
前記スキャンレポートメッセージは、前記複数の隣接する基地局の各々に対して個別に基地局識別子（ＢＳＩＤ）を含む請求項１４に記載の装置。
【請求項１８】
複数の隣接する基地局を示すメッセージであり、１以上のワイルドカード値を有して前記複数の隣接する基地局の各々に対応する情報を示すインジケータを含むメッセージを生成する手段と、
前記メッセージを無線により送信する手段と
を備える装置。
【請求項１９】
前記インジケータは複数の基地局識別子（ＢＳＩＤ）を示す請求項１７に記載の装置。
【請求項２０】
前記インジケータは複数のプリアンブルインデックスを示す請求項１７に記載の装置。
【発明の詳細な説明】
【背景技術】
【０００１】
無線ネットワークは通常セルラートポロジーを利用して、物理的に大きな領域に無線通信機能を提供している。これらトポロジーを利用することで、複数の個々のセルが様々な利点を提供することができる。この利点の例としては、通信容量の向上とトランスミッタ電力レベルの低減とが挙げられる。
【０００２】
各セル内では、対応する基地局（ＢＳ）が１以上の移動局（ＭＳ）に対して通信アクセスを提供する。動作中、セルの基地局は隣接する基地局のリストをブロードキャストすることができる。隣接する基地局のリストは、移動局（ＭＳ）に対して、隣接する基地局を通知する。従って、隣接する基地局のリストを利用することで、移動局はネットワークトポロジーの情報を得ることができる。これによりセル間の移動管理（ハンドオーバ等）が可能となる。
【０００３】
ＷｉＭＡＸネットワークは、ＩＥＥＥ８０２．１６規格に準拠して動作する無線ネットワークである。ＷｉＭＡＸネットワークでは、基地局は、隣接する基地局のリストをＮＢＲ−ＡＤＶメッセージの形でブロードキャストすることができる。
【０００４】
セルラートポロジーは、重複するセルの様々な配置を利用することができる。例えば、大きなセル（例えばマクロセル）は、多くの小さなセル（例えばマイクロセル、ピコセル、および／または、フェムトセル）を含みうる。故にこのシナリオでは、多くの基地局が隣り合っており、それらの報告が必要となる場合がある。これにより隣接する基地局のリストのブロードキャストが非常に大きくなってしまう。この結果、過剰な通信オーバヘッドが消費されうる。
【図面の簡単な説明】
【０００５】
図面では、概して、同一の、機能的に類似した、および／または、構造的に類似したエレメントを示す場合には同じ参照番号を利用する。エレメントが最初に登場した図面番号を、参照番号の一番左側の桁に示す。以下の添付図面を参照して本発明を説明する。
【図１】例示的な動作環境を示す。
【図２】例示的な隣接する基地局のリストフォーマットを示す。
【図３】例示的な隣接する基地局のリストフォーマットを示す。
【図４】例示的な隣接する基地局のリストフォーマットを示す。
【図５Ａ】基地局と移動デバイスとの間の例示的な相互作用を示す。
【図５Ｂ】基地局と移動デバイスとの間の例示的な相互作用を示す。
【図６】例示的なワイルドカードエンコード技術を示す。
【図７】論理フロー図である。
【図８】無線デバイス内の実装例を示す。
【発明を実施するための形態】
【０００６】
実施形態では、隣接する基地局の表示に関する技術が提供される。例えば実施形態では、複数の隣接する基地局を示すメッセージを生成して無線により送信することができる。このメッセージは、１以上のワイルドカード値を有するインジケータを含みうる。このワイルドカード値を利用する実施形態によると、インジケータは複数の隣接する基地局に対応する情報を提供することができる。例えば、インジケータは複数の基地局識別子（ＢＳＩＤ）を示しうる。この代わりに、インジケータは複数のプリアンブルインデックスを示すこともできる。さらには、インジケータは複数のキャリア周波数を示すこともできる。このような技術を利用することにより、移動管理を曖昧にすることなくオーバヘッドを節約することができるようになる。このような技術は、任意の過去、現在、または将来のＩＥＥＥ８０２．１６（ＷｉＭＡＸ）規格またはその拡張規格に（部分的に、または全体的に）準拠して動作するネットワークで利用することができる。しかし実施形態はそのようなネットワークに限定はされない。
【０００７】
図１は、例示的な動作環境１００を示す。この環境には、複数の基地局（ＢＳ１０２ａ−ｇ）、および、複数の移動局（ＭＳ）１０４ａ−ｈが含まれている。ＢＳ１０２ａ−ｇはそれぞれ対応するセル１０６ａ−ｇを提供する。図１に示すように、セル１０６ｄ、１０６ｅ、および１０６ｆはセル１０６ａ内にある。従って例えばセル１０６ａはマイクロセルであり、セル１０６ｄ、１０６ｅ、および１０６ｆはそれぞれマクロセル、ピコセル、またはフェムトセルであってよい。
【０００８】
図１はＭＳ１０４ａがセル１０６ａおよび１０６ｅの中にあると示している。ＭＳ１０４ｂはセル１０６ａ内にあり、ＭＳ１０４ｃはセル１０６ｆおよび１０６ａ内にあり、ＭＳ１０４ｄはセル１０６ｄおよび１０６ａ内にあり、ＭＳ１０４ｅはセル１０６ｃ内にあり、ＭＳ１０４ｆはセル１０６ｂ内にあり、ＭＳ１０４ｇはセル１０６ｇ内にあり、ＭＳ１０４ｈはセル１０６ｇ内にある。
【０００９】
基地局１０２ａ−ｇは、ＭＳ１０４ａ−ｈに対して無線接続を提供して、これらＭＳが互いに通信できるよう、あるいはネットワークの任意の他の実体と通信できるようにしてよい。さらに基地局１０２ａ−ｇは、他のネットワークに対する接続を提供することができる。例えば図1は、コアネットワーク１０９に接続された基地局１０２ａを示す。また、コアネットワーク１０９は、ＭＳ１０４ａ−ｈに対して、有線電話ネットワーク１１０に対するアクセスおよびインターネット１１２に対するアクセスを提供する。これらの接続は例示であって限定ではない。従って他の接続の構成を利用することもできる。
【００１０】
図１のエレメントは、様々なネットワーキング規格に準拠して動作することができる。規格の例には１以上のＩＥＥＥ８０２．１６ＷｉＭＡＸ規格が含まれるがこれに限定はされない。
【００１１】
一般的な動作においては、ＢＳ１０２ａ−ｇは、それぞれ隣接する基地局のリスト（例えばＮＢＲ−ＡＤＶメッセージ）をブロードキャストすることができる。例えば図１はＢＳ１０２ｃが隣接する基地局のリスト１２０をブロードキャストしていると示している。隣接する基地局のリスト１２０は、ＢＳ１０２ｃに隣接する基地局を特定する。一例としては、隣接する基地局のリスト１２０は、ＢＳ１０２ａ、１０２ｄ、１０２ｅ、１０２ｆ、および１０２ｇをそれぞれ隣接する基地局として特定している。
【００１２】
隣接する基地局のリスト１２０を受信すると、セル１０６ｃ内の移動局（例えばＭＳ１０４ｅ）は、含まれている情報を利用して様々な動作を行うことができる。動作の例には、スキャンおよびハンドオーバ動作が含まれるがこれらに限定はされない。
【００１３】
現在のＩＥＥＥ８０２．１６（ＷｉＭＡＸ）ネットワークでは、隣接する基地局のリスト（例えばＮＢＲ−ＡＤＶメッセージ）の生成が、全ての隣接する基地局のループにより管理されている。このループを以下の疑似コード例１に示す。
【表１】
2011155635.tif 000003
【００１４】
疑似コード例１においては、Ｎは隣接する基地局の数を表す。従って、隣接する基地局のリストは、各隣接する基地局（ＢＳｉ）について、該隣接する基地局の識別子（ＢＳＩＤ）、および、該隣接する基地局のキャリア周波数を示すことができる。さらに隣接する基地局のリストは、各隣接する基地局（ＢＳｉ）について、該隣接する基地局の他の構成情報を示すこともできる。
【００１５】
ＩＥＥＥ８０２．１６ネットワークでは、ＢＳＩＤは一意に基地局を特定する４８ビット値である。さらにＩＥＥＥ８０２．１６ネットワークでは、プリアンブルインデックスは、基地局が特定のキャリア周波数で利用する予め定められたプリアンブルを示す一定の値（例えば整数値）である。
【００１６】
図２は、疑似コード例１に準拠する例示的なフォーマット２００を示す。このフォーマットは、隣接する基地局のリストのブロードキャストに（例えばＮＢＲ−ＡＤＶメッセージ内に）含めることもできる。図２に示すように、このフォーマットはＮ個の隣接する基地局の情報を含む。より詳しくは、図２は、隣接する基地局各々について個別に、ＢＳＩＤ２０２（２０２１−２０２Ｎとして図示）、プリアンブル２０４（２０４１−２０４Ｎとして図示）、およびキャリア周波数２０６（２０６１−２０６Ｎとして図示）が含まれることを示している。さらにオプションとして構成情報２０８（２０８１−２０８Ｎとして図示）を各隣接する基地局に個別に設けることもできる。
【００１７】
上述したように、隣接する基地局のリストは非常に大きくなりがちである。従ってそれらの送信には、過度の通信リソース消費が伴う。実施形態では隣接する基地局のリストのサイズを低減させることができるので好適である。例えば実施形態では、特定のフィールドについては部分的な情報しか含めないような隣接する基地局のリストをブロードキャストすることができる。この特徴によると、移動管理を曖昧にすることなくオーバヘッドを節約することができるので好適である。
【００１８】
疑似コード例１により上で示したように、現在のＩＥＥＥ８０２．１６における隣接する基地局のリストのブロードキャストには、各隣接する基地局について複数の形態の情報が含まれている。しかし、通常はこのような完全な情報を隣接する基地局のリストで搬送することは必ずしも必要ではない。例えばある移動局が隣接する基地局についてスキャンを行うときであれば、プリアンブルインデックスおよびキャリアは、他のものよりも有用であろう。これは移動局が、自身が特定のキャリア周波数でスキャンを行う対象であるＢＳのダウンリンク制御送信を読み取ることにより対応するＢＳＩＤを最終的に取得することができるからである。
【００１９】
従って実施形態では、１つの識別子が一群の隣接する基地局を示すことができるよう、例えば、ワイルドカード値を有するインジケータを利用することができる。例えば実施形態では、ＢＳＩＤインジケータ等（本明細書では「ＢＳＩＤ＊」と称する）を利用することができる。特定のＢＳＩＤ＊の値によって一群の基地局を取り出すことができる。こうすることでＢＳＩＤ＊インジケータを利用することで、隣接する基地局のリストのブロードキャストのオーバヘッドを低減させることができるので好適である。
【００２０】
例えば、３つの隣接するＢＳが以下のＢＳＩＤ（１６進数法による）：0xFFFFFFFF0001, 0xFFFFFFFF00A5, 0xFFFFFFFF0A02を有するようなケースを想定することにする。これらのＢＳＩＤ値は、0xFFFFFFFF0***というＢＳＩＤ＊として抽象化することができる。このＢＳＩＤ＊では、星印が「ワイルドカード」あるいは「ドントケア」値を表している。従ってこのＢＳＩＤ＊が、３つのＢＳＩＤ各々がカバーする範囲をエンコードしている。
【００２１】
複数の隣接する基地局をカバーするＢＳＩＤ＊を利用した、隣接する基地局のリストを、以下の疑似コード例２に示す。
【表２】
2011155635.tif 000004
【００２２】
この疑似コードでは、隣接する基地局のリストのブロードキャストにＢＳＩＤ＊が含まれている。このＢＳＩＤ＊は、ワイルドカード値（１または複数）を含むことにより複数（Ｎ個）の隣接する基地局をカバーしている。一方で、この隣接する基地局のリストには、Ｎ個の隣接する基地局各々に対して個々にプリアンブルインデックスが含まれている。さらにこの隣接する基地局のリストには、隣接する基地局各々に対して個別に構成情報も含まれている。
【００２３】
図３は、疑似コード例２に準拠する例示的なフォーマット３００を示す。このフォーマットは、隣接する基地局のリストのブロードキャストに（例えばＮＢＲ−ＡＤＶメッセージ内に）含めることもできる。図３に示すように、このフォーマットはＮ個の隣接する基地局の情報を含む。より詳しくは、図３は、Ｎ個の隣接する基地局全てをカバーするＢＳＩＤ＊３０２が提供されていることを示している。さらに隣接する基地局各々について個別に、プリアンブルインデックス３０４（３０４１−３０４Ｎとして図示）およびキャリア周波数３０６（３０６１−３０６Ｎとして図示）が含まれることを示している。さらにオプションとして構成情報３０８（３０８１−３０８Ｎとして図示）を各隣接する基地局に個別に設けることもできる。
【００２４】
図３のフォーマットによって、１つのセットのＮ個の隣接する基地局の情報が提供される。実施形態では、このフォーマットをさらなるセットの基地局についても繰り返すことができる。従って隣接する基地局のリストは、各セットを対応するＢＳＩＤ＊で表すようにすることで、複数のセットの隣接する基地局を公示する（advertise）ことができる。
【００２５】
上述したような隣接する基地局のリストを受信すると、ＭＳは隣接する基地局をスキャンして、それらのＢＳＩＤを判断することができる（先ずは隣接する基地局のリストが公示しているプリアンブルインデックスから基地局を特定することにより）。ＢＳＩＤ値がブロードキャストされているＢＳＩＤ＊がカバーする範囲内にある場合には、ＭＳは対応する基地局を、公示されている隣接する基地局であるとみなす。従って実施形態では、ＭＳはこの基地局を、ハンドオーバ用に推奨できる潜在的な対象基地局とみなすことができる。
【００２６】
従ってＢＳＩＤ＊をプリアンブルインデックスと組み合わせて利用することができる。例えば、疑似コード例２（既に示した）では、隣接する基地局のリストは、ＢＳＩＤ＊（１以上の隣接する基地局をカバーする）、および、複数の隣接する基地局各々について個別にプリアンブルインデックスを含んでいる。
【００２７】
しかし、多くの小さなセルを有する密集した配置においては、各隣接する基地局のプリアンブルインデックスをブロードキャストすると高価になりすぎる。従って実施形態では、複数のプリアンブルインデックスを示すために、１以上のワイルドカード値を含むプリアンブルインデックスインジケータを利用することができる。
【００２８】
例えば実施形態ではこのようなプリアンブルインデックスインジケータを利用することができる（本明細書では「プリアンブルインデックス＊」と称することにする）。特定のプリアンブルインデックス＊の値によって複数のプリアンブルインデックスを取り出すことができる。この結果、プリアンブルインデックス＊を利用することで、隣接する基地局のリストのブロードキャストのオーバヘッドを低減させることができるので好適である。
【００２９】
ワイルドカードＢＳＩＤ＊およびプリアンブルインデックス＊を利用した、隣接する基地局のリストを以下の疑似コード例３に示す。
【表３】
2011155635.tif 000005
【００３０】
この疑似コード例３に示されているように、ＳＢＳはＢＳＩＤ＊およびプリアンブルインデックス＊を利用して、特定のキャリア周波数にある一群の隣接する基地局を示すことができる。あるいは、ＢＳＩＤ＊およびプリアンブルインデックス＊に関連付けられた特定のキャリア周波数を示す代わりに、１以上のワイルドカード値を有するキャリア周波数インジケータ（キャリア周波数＊インジケータ）を利用して複数のキャリア周波数（例えば１つの範囲内の複数のキャリア周波数）をカバーすることもできる。疑似コード例３においては、プリアンブルインデックス＊は、隣接する基地局が利用している１つの範囲内の複数のプリアンブルインデックス値を示すことにより複数のプリアンブルインデックスをカバーすることができる。
【００３１】
従って実施形態では、隣接する基地局のリストの１つの入力値で、一群の隣接する基地局を表すことができる。この１つの入力値には、様々な形態の圧縮された情報を含めることができる。例えばこの圧縮された情報には、ＢＳＩＤ*インジケータ、プリアンブルインデックス*インジケータ、キャリア周波数インジケータ、および／または、キャリア周波数＊インジケータが含まれてよい。
【００３２】
さらに、疑似コード例３に従って生成される隣接する基地局のリストには構成情報が含まれてよい。この構成情報には、隣接する基地局のリストに含まれる全ての隣接する基地局が共有する情報が含まれてよい。さらにこの構成情報には、１以上の情報が含まれてよく、各情報は、隣接する基地局のリストに含まれる個々の基地局に関するものであってよい。
【００３３】
「圧縮」された情報は、移動局の効率的なスキャンを促すのに足るものであってよい。移動局はこのスキャンに基づいて（適宜）、ある隣接する基地局のダウンリンク制御チャネルから直接、より多くのシステム構成情報を取得することができる。
【００３４】
図４は、疑似コード例３に準拠する例示的なフォーマット４００を示す。このフォーマットは、隣接する基地局のリストのブロードキャストに（例えばＮＢＲ−ＡＤＶメッセージ内に）含めることもできる。図４に示すように、このフォーマットはＮ個の隣接する基地局の情報を含む。より詳しくは、図４は、Ｎ個の隣接する基地局全てをカバーして、ＢＳＩＤ＊４０２、プリアンブルインデックス＊４０４、およびキャリア周波数４０６（あるいはこの代わりにキャリア周波数＊インジケータであってもよい）が含まれることを示している。さらに、Ｎ個の隣接する基地局全てが共有する構成情報４０８が提供されていてもよい。さらに構成情報４１０（４１０１−４１０Ｎとして図示）を各隣接する基地局に個別に設けることもできる。
【００３５】
図４のフォーマットによって、１つのセットのＮ個の隣接する基地局の情報が提供される。実施形態では、このフォーマットをさらなるセットの基地局についても繰り返すことができる。従って隣接する基地局のリストは、各セットが対応するＢＳＩＤ＊、プリアンブルインデックス＊、およびキャリア周波数（またはキャリア周波数＊）の値それぞれで表されるような複数のセットの隣接する基地局を公示することができる。
【００３６】
実施形態ではワイルドカードを有するインジケータを他の方法で利用することもできる。例えばサービス提供基地局（ＳＢＳ）は、ＢＳＩＤ＊を利用して移動局に対して一群の基地局をスキャンするよう命令することができる。これは例えばＳＢＳがどの隣接する基地局が移動局に対する最適なハードオーバの候補局であるか分からない場合等に行うことができる。
【００３７】
従ってＢＳＩＤ桁値（バイナリ桁値、１６進法の桁値等）をワイルド値で置き換えることにより、実施形態ではＭＡＣ制御シグナリングメッセージに纏わるオーバヘッドを低減させることができるので好適である。このオーバヘッドの低減効果は、マクロセル、フェムトセル、および／または、ピコセルを利用するような、密集した配置では顕著なものとなろう。
【００３８】
上述した例はあくまで例示であって限定ではない。従って実施形態では他の形態の情報を圧縮する目的にワイルドカードエンコードフォーマットを利用することもできる。例えばキャリア周波数インジケータがワイルドカード値（１または複数）を利用して複数のキャリア周波数を示すこともできる。
【００３９】
例えばネットワークオペレータは、キャリア周波数を１セット利用する複数の基地局を提供する場合がある。本例においては、この１セットのキャリア周波数を、インデックス値とキャリア周波数との間に１対１の対応関係があるようなネットワーク全体のインデックススキームにより表す。一群の基地局（例えば特定のセルタイプの基地局）がこれらキャリア周波数のサブセットに配置される場合、ワイルド値を有するキャリア周波数インジケータを利用することによりこのサブセット全体をカバーすることができる。例えばこのようなインジケータは１つの範囲内の複数のキャリア周波数をエンコードすることができる。これにより移動局のスキャンが促されるので好適である。
【００４０】
ここで記載するように、サービス提供基地局は隣接する基地局のリストをブロードキャストすることができる。これを受信した移動局は、この隣接する基地局のリストが示している隣接する基地局（１または複数）の動作をスキャンすることができる。そして移動局は、サービス提供基地局に対してスキャンレポートを送信することで応答することができる。スキャンレポートには、１以上の隣接する基地局それぞれの計測レポートが含まれる。
【００４１】
圧縮された隣接する基地局のリストを利用している場合には（例えば、疑似コード例２または疑似コード例３におけるフォーマットの隣接する基地局のリストを利用している場合）、対応するスキャンレポート（１または複数）は、どの基地局がどの計測レポートに対応するものかの対応付けを、曖昧でないようにしておかなくてはならない。このことはサービス提供基地局が適切なハンドオーバに関する決定を行う際等に必要となる。
【００４２】
対応付けが曖昧になる場合は、計測レポートが圧縮されたインジケータ（例えばＢＳＩＤ＊、プリアンブルインデックス＊等）を利用している場合に生じやすい。これは、圧縮された隣接する基地局のリストを利用すると、移動局が、たとえスキャン後であっても、隣接する基地局のサブセットの情報（例えばＢＳＩＤ、プリアンブルインデックス等）しか入手できないことに起因している。これは、サービス提供基地局が、全隣接する基地局に関する全情報（例えばＢＳＩＤ，プリアンブルインデックス等）を有する場合とは対照的である。
【００４３】
計測レポートで他の形態のインジケータを利用する場合にも、対応付けが曖昧になりやすい。例えば、対象ＢＳの順序インデックスを、隣接するＢＳから見つけるのが難しいことがある。これは移動局が、圧縮された隣接する基地局のリストから特定のＢＳの順序インデックスを推定することが難しいことに起因している。さらに、プリアンブルインデックスがスキャンレポートの識別に利用される際にも混乱が起きやすい。これは、プリアンブルインデックスが（空間的に）再利用されうるためである。例えば２つのフェムトセルが、同じマクロセルのカバーする範囲内で同じプリアンブルインデックスを有する場合がある。
【００４４】
従って、曖昧さが生じる可能性を排除するべく、実施形態では、ＢＳＩＤの全値を含む計測レポートを利用する（つまりワイルドカードを利用しないＢＳＩＤ値を利用する）。
【００４５】
図５Ａおよび図５Ｂは、サービス提供基地局５０２と移動局５０４との間の例示的な相互作用を示す。より詳しくは、これらの図は、隣接する基地局のリストのブロードキャストおよびスキャンプロシージャを例示したものである。
【００４６】
図５Ａのブロック５２０で、サービス提供基地局５０２は隣接する基地局のリストをブロードキャストする。この隣接する基地局のリストは、３グループの隣接する基地局を公示する。より具体的には、隣接する基地局のリストは、ＢＳＩＤ＊１、プリアンブルインデックス＊１、およびキャリア周波数１がカバーする第１グループ、ＢＳＩＤ＊２、プリアンブルインデックス＊２、およびキャリア周波数１がカバーする第２グループ、ＢＳＩＤ＊３、プリアンブルインデックス＊３、およびキャリア周波数３がカバーする第３グループを含む。このように実施形態のこの隣接する基地局のリストでは、図４のフォーマットが利用されている。
【００４７】
図５Ａではさらに（ブロック５２２で）サービス提供基地局５０２が移動局５０４にコマンドを送信する。このコマンドにより、移動局５０４は一群の対象基地局にスキャン動作を行うよう指示される。図５Ａではこの一群の対象基地局は、ＢＳＩＤ＊２、プリアンブルインデックス＊２、およびキャリア周波数１で示されている。
【００４８】
このコマンドを受信した移動局５０４は（ブロック５２４で）キャリア周波数１でスキャン動作を行い、ＢＳＩＤ＊２、プリアンブルインデックス＊２がカバーしていない対象基地局を対象から外す。
【００４９】
このスキャン動作に続いて、移動局５０４は（ブロック５２６で）基地局５０２に対してスキャンレポートを送信する。図５Ａにおけるスキャンレポートは、２つの隣接する基地局の計測値を含んでいる（つまり、ＢＳＩＤ１の計測値１、および、ＢＳＩＤ２の計測値２）。上で示したようにこれらのスキャンレポートはＢＳＩＤ＊を利用しておらず、隣接する基地局各々に対して通常のＢＳＩＤ値を利用している。
【００５０】
図５Ｂの相互作用は、図５Ａのものに類似している。しかし図５Ｂでは、スキャンが移動局５０４側から始められている。より具体的には、ブロック５２２、５２４、および５２６がブロック５５０および５５２で置き換わっている。
【００５１】
ブロック５５０で移動局５０４は、ブロック５２０でブロードキャストされた隣接する基地局のリストに基づいたスキャンを行う。特に、移動局５０４は、キャリア周波数１でスキャンを行う。このスキャン中に、移動局５０４は、キャリア周波数１でブロードキャストされた隣接する基地局のリストがカバーしていない（つまり、ＢＳＩＤ＊２およびプリアンブルインデックス＊２がカバーしていない）対象基地局を対象から外す。
【００５２】
このスキャン動作に続いて、移動局５０４は（ブロック５５２で）基地局５０２に対してスキャンレポートを送信する。図５Ｂにおけるスキャンレポートは、２つの隣接する基地局の計測値を含んでいる（つまり、ＢＳＩＤ１の計測値１、および、ＢＳＩＤ２の計測値２）。本例ではこれら隣接する基地局は、ブロック５２０で送られた隣接する基地局のリストのブロードキャストによりカバーされている（より具体的にはキャリア周波数１の範囲内にある）。上に示したようにこれらのスキャンレポートはＢＳＩＤ＊を利用しておらず、隣接する基地局各々に対して通常のＢＳＩＤ値を利用している。
【００５３】
上述したように、ワイルドカード技術を利用することで複数の値をカバーすることができる。例えばこの技術では、BSID* = 0xFFFFFFFF0***というように共通の接頭辞を示すことができる。さらにこの技術では、BSID* = 0x***FFFFFFFF0というように共通の接尾辞を示すこともできる。さらにこの技術は、BSID* = 0xFFFF***FFFF0というように一般的な範囲を示すこともできる。
【００５４】
この技術は、様々な方法によるフォーマットが可能である。図６は、ワイルドカードエンコード技術のフォーマット６００の例を示す。このフォーマットは、ＩＥＥＥ８０２．１６のＮＢＲ−ＡＤＶ等の隣接する基地局のリストで利用することができる。
【００５５】
図６に示すフォーマット６００は、ワイルドカードフラグパラメータ６０２を含む。このパラメータは、複数の値（例えば複数のＢＳＩＤまたは複数のプリアンブルインデックス）をカバーする「ワイルドカード化された」インジケータが利用されているのか、あるいは、単一の値（例えば単一のＢＳＩＤまたは単一のプリアンブルインデックス）を示す従来のインジケータが利用されているのかを表している。
【００５６】
ワイルドカード技術パラメータ６０４は、複数のエンコード技術のうちいずれが利用されているかを示す。例えばパラメータ６０４は、共通の接頭辞、共通の接尾辞、または範囲のいずれがエンコードされているかを示すことができる。
【００５７】
フィールド６０６は、パラメータ６０４が示す技術に則った値を示す。例えばパラメータ６０４が共通の接頭辞の利用を示している場合には、フィールド６０６はその接頭辞の長さおよび値を示す。一方でパラメータ６０４が共通の接尾辞の利用を示している場合には、フィールド６０６はその接尾辞の長さおよび値を示す。また、パラメータ６０４が範囲の利用を示している場合には、フィールド６０６は開始値および終了値を示す。
【００５８】
これに加えて、または、この代わりに、ワイルドカード値は、固定された長さのストリングでフォーマットされてもよい。例えば、固定された長さのシンボル（例えば８ビットの文字）は、１６進数法フィールドの各桁をエンコードすることができる。例えば、文字ストリングは、ワイルドカードを表す特定の文字（例えば「Ｘ」）を１以上有する１６進数法に基づく値を示すこともできる。例えば、「XFFFXXFFFF10」のストリングにおいて各「Ｘ」がワイルドカード値を表している。
【００５９】
図７は本明細書の１以上の実施形態で実行される動作を表しうる論理フロー７００の一例を示す。このフローは図１のコンテキストで利用することができる。しかし実施形態がこのコンテキストに限定されるわけではない。さらに図７では特定のシーケンスが示されているが、他のシーケンスを利用することもできる。さらに図示されている動作は、パラレルおよび／またはシーケンシャルに様々な組み合わせで実行されてよい。
【００６０】
ブロック７０２で、基地局は隣接する基地局を特定する。これは、例えば制御メッセージの交換、様々な管理プロトコルの実行等の様々な技術により実行可能である。
【００６１】
この特定に基づいて、基地局は（ブロック７０４）で複数の基地局を示すメッセージを生成する。例えばこのメッセージは隣接する基地局のリスト（ＮＢＲ−ＡＤＶ）メッセージ、スキャンコマンドメッセージ、さらには他の種類のメッセージであってよい。このメッセージでは、複数の基地局を、ここで記載する技術（例えばワイルドカードに基づく技術）によって表示することができる。そしてブロック７０６で基地局はメッセージを無線により送信する。
【００６２】
ブロック７０８で移動局（例えば基地局のサービスを受けている移動局）がメッセージを受信する。すると移動局は、このメッセージに基づく動作を行うことができる。動作の例には、隣接する基地局のリストの格納／更新、スキャン動作の実行（例えば基地局がそれを指示した場合等）、その他が含まれるが、これらに限定はされない。
【００６３】
ブロック７１０が示すように、移動局は基地局に応答メッセージを送ることができる。例えば、移動局はスキャンレポートメッセージを送信することができる。このメッセージには、隣接する基地局を明示するような計測レポートが含まれてよい。例えばこの計測レポートはＢＳＩＤインジケータを含むことができる。
【００６４】
図８は、例えば基地局（例えばＢＳ１０２ａ−ｇのいずれか）および／または移動局（ＭＳ１０４ａ−ｈのいずれか）等の無線デバイスに含まれうる実装例８００を示す。実装例８００は、様々なエレメントを含むことができる。例えば図８は、複数のアンテナ８０２ａ−ｃ、トランシーバモジュール８０４、ホストモジュール８０６、および制御モジュール８０８を含む実装例８００を示している。これらエレメントはハードウェア、ソフトウェア、またはこれらの任意の組み合わせで実装可能である。
【００６５】
アンテナ８０２ａ−ｃは、遠隔デバイスとの間で無線信号を交換する。３つのアンテナが図示されてはいるが、アンテナの数はいずれであっても構わない（例えば１以上）。さらに実施形態では、１以上の送信アンテナおよび１以上の受信アンテナを利用してよい。この複数のアンテナ構成は、ビーム形成をする場合、あるいは遠隔デバイスとの間で複数の空間ストリームを利用する場合に利用可能である。
【００６６】
トランシーバモジュール８０４は、他のデバイスとの間で情報を交換する。図８に示すように、トランシーバモジュール８０４は、送信部８１０と受信部８１２とを含む。動作中に、トランシーバモジュール８０４は、アンテナ８０２ａ−ｃと他のエレメント（例えばホストモジュール８０６および制御モジュール８０８）との間のインタフェースを提供する。例えば、送信部８１０は、これらエレメントからシンボルを受信して、アンテナ８０２ａ−ｃの１以上による無線送信用の対応する信号を生成する。これには、変調、増幅、および／または、フィルタリング等の動作が利用されてよい。しかし他の動作を利用することもできる。
【００６７】
一方で、受信部８１２はアンテナ８０２ａ−ｃの１以上からの信号を取得して、対応するシンボルを生成する。そしてこれらシンボルは、ホストモジュール８０６および制御モジュール８０８等のエレメントに提供されてよい。このシンボルの生成には、復調、増幅、および／または、フィルタリングを含むがこれらに限定はされない動作が利用されてよい。
【００６８】
トランシーバモジュール８０４が生成および受信する信号は様々なフォーマットであってよい。例えばこれら信号は、ＯＦＤＭ（直交周波数分割多重）に基づくスキーム（例えばＯＦＤＭＡ（直交周波数分割多元接続））に準拠して変調されていてよい。もちろん他のスキームおよびフォーマット（例えばＱＰＳＫ、ＢＰＳＫ、ＦＳＫ等）を利用することもできる。
【００６９】
これら特徴を提供するべく、送信部８１０および受信部８１２は、各々が様々なコンポーネント（例えば変調器、復調器、増幅器、フィルタ、バッファ、アップコンバータ、および／またはダウンコンバータ）を含むことができる。これらコンポーネントは、ハードウェア（例えばエレクトロニクス）、ソフトウェア、またはこれらの任意の組み合わせで実装可能である。
【００７０】
トランシーバモジュール８０４と他のエレメントとの間で交換されるシンボルは、１以上のプロトコルに関する、および／または、１以上のユーザアプリケーションに関するメッセージまたは情報を形成することができる。従ってこれらエレメントは、これらプロトコル（１または複数）および／またはユーザアプリケーション（１または複数）に対応する動作を行うことができる。プロトコルの例には、様々な媒体アクセスの制御および発見プロトコルが含まれてよいが、これらに限定はされない。ユーザアプリケーションの例には、電話技術、メッセージング、電子メール、ウェブ閲覧、コンテンツ（例えば動画および音声）配信／受信が含まれてよい。
【００７１】
さらにトランシーバモジュール８０４は信号を送信するのに様々なアクセス技術を利用することができる。例えば、トランシーバモジュール８０４は、時間分割複信（ＴＤＤ）、周波数分割複信（ＦＤＤ）等の複信方式を利用することができる。しかし実施形態はこれらの技術に限定はされない。
【００７２】
実施形態における制御モジュール８０８はここに記載される様々な動作を行うことができる。例えば図８は、様々なメッセージを生成することのできるメッセージ生成モジュール８１４を含む制御モジュール８０８を示している。メッセージの例には、ここに記載される隣接する基地局のリスト（例えばＮＢＲ−ＡＤＶ）メッセージ、スキャンコマンドメッセージ、およびスキャンレポートメッセージが含まれる。さらに図８は、スキャンモジュール８１６を含む制御モジュール８０８を示している。スキャンモジュール８１６は、（例えば移動局の実装例では）、隣接する基地局（例えばサービス提供基地局が示す隣接する基地局）をスキャンおよび計測する目的に利用することができる。
【００７３】
これら動作を実行するべく、制御モジュール８０８は、トランシーバモジュール８０４との間で情報および／または信号を交換する。この情報は、遠隔デバイス（例えばＢＳおよび／またはＭＳ）との間で交換されるメッセージの形態、および、計測およびスキャンレポートの生成に利用されるＢＳから受信される情報の形態であってよい。
【００７４】
ホストモジュール８０６は、遠隔デバイスとの間で交換される無線信号に対応するシンボルをトランシーバモジュール８０４との間で交換することができる。これらシンボルは、１以上のプロトコルに関する、および／または、１以上のユーザアプリケーションに関するメッセージまたは情報を形成することができる。従ってホストモジュール８０６は、これらプロトコル（１または複数）および／またはユーザアプリケーション（１または複数）に対応する動作を行うことができる。プロトコルの例には、様々な媒体アクセス、ネットワーク、トランスポートおよび／またはセッション層プロトコルが含まれる。ユーザアプリケーションの例には、電話技術、メッセージング、電子メール、ウェブ閲覧、コンテンツ（例えば動画および音声）配信／受信が含まれてよい。
【００７５】
本明細書では、様々な実施形態がハードウェアエレメント、ソフトウェアエレメント、またはこれらの組み合わせにより実装可能である。ハードウェアエレメントの例には、プロセッサ、マイクロプロセッサ、回路、回路エレメント（例えばトランジスタ、抵抗、コンデンサ、インダクタ等）、集積回路、特定用途向けＩＣ（ＡＳＩＣ）、プログラム可能論理回路（ＰＬＤ）、デジタル信号プロセッサ（ＤＳＰ）、フィールドプログラマブルゲートアレイ（ＦＰＧＡ）、論理ゲート、レジスタ、半導体素子、チップ、マイクロチップ、チップセット等が含まれてよい。
【００７６】
ソフトウェアの例には、ソフトウェアコンポーネント、プログラム、アプリケーション、コンピュータプログラム、アプリケーションプログラム、システムプログラム、機械プログラム、オペレーティングシステムソフトウェア、ミドルウェア、ファームウェア、ソフトウェアモジュール、ルーチン、サブルーチン、機能、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、シンボル、またはこれらの任意の組み合わせが含まれてよい。
【００７７】
一部の実施形態は、例えば機械可読である格納媒体または物品を利用して実装することができる。格納媒体は、機械により実行されると、機械に実施形態における方法および／または動作を実行させることのできる命令または命令セットを格納することができる。このような機械には、例えば、任意の適切な処理プラットフォーム、コンピューティングプラットフォーム、コンピューティングデバイス、処理デバイス、コンピューティングシステム、処理システム、コンピュータ、プロセッサ等が含まれてよく、ハードウェアおよび／またはソフトウェアの任意の適切な組み合わせを利用した実装が可能である。
【００７８】
本明細書に示す実施形態は、格納媒体または機械可読物品を含むことができる。これらには、例えば任意の適切な種類のメモリユニット、メモリデバイス、メモリ物品、メモリ媒体、格納デバイス、格納物品、格納媒体および／または格納ユニット（例えば、メモリ、取り外し可能または取り外し不可能媒体、消去可能または消去不可能媒体、書き込み可能または再書き込み可能媒体、デジタルまたはアナログ媒体、ハードディスク、フロッピー（登録商標）ディスク、ＣＤ−ＲＯＭ、ＣＤ−Ｒ，ＣＤ−ＲＷ、光ディスク、磁気媒体、光磁気媒体、取り外し可能メモリカードまたはディスク、様々な種類のＤＶＤ，テープ、カセット等）が含まれてよい。命令には、任意の適切な高レベル、低レベル、オブジェクト指向、ビジュアル、コンパイル済み、および／または、解釈済みプログラミング言語を利用して実装された、任意の適切な種類のコード（例えばソースコード、コンパイル済みコード、解釈済みコード、実行可能コード、静的コード、動的コード、暗号化コード等）が含まれてよい。
【００７９】
本発明の様々な実施形態を上述してきたが、これらは例示目的で示されたにすぎず、限定は意図していないことを理解されたい。例えば実施形態はＩＥＥＥ８０２．１６ネットワークに関するコンテキストに限定されない。
【００８０】
当業者であれば、本発明の精神および範囲を逸脱することなく形態および詳細に対して様々な変更を加えることができるであろう。従って本発明の範囲は、上述された例示的な実施形態のいずれにも限定されるべきではなく、以下の請求項およびその均等物によってのみ定義されるべきである。
【図１】
2011155635.tif 000006
【図２】
2011155635.tif 000007
【図３】
2011155635.tif 000008
【図４】
2011155635.tif 000009
【図５Ａ】
2011155635.tif 000010
【図５Ｂ】
2011155635.tif 000011
【図６】
2011155635.tif 000012
【図７】
2011155635.tif 000013
【図８】
2011155635.tif 000014
【外国語明細書】
2011155635000001.pdf